(57)【要約】  【課題】製造コストを抑制し得る設計の自由度に優れるとともに製造し易さに寄与し得る構成をなす収容体を提供する。  【解決手段】収容体Ａが、外面が外部に露出する主壁１と、この主壁１の両側端縁から主壁１と交差する方向に延びた一対の側縁壁２と、主壁１における開口部Ｋの反対側の縁から主壁１と交差する方向に延びた奥縁壁４とを備えてなるものであり、一対の側縁壁２の先端縁から内方に向かって延出し接着部Ｓを設けた一対の延出壁３を備えており、これら一対の延出壁３の先端部同士が互いに当接しないように構成されている。【選択図】図５
2020116890.tif 000002
【特許請求の範囲】
【請求項１】
接着対象物に接着し得る接着部を有し、当該接着部を前記接着対象物に接着させた状態で使用される収容体であって
一枚板である基材を所定の位置で折り曲げ成形することによって、内部に物品を収容し得る収容空間と当該収容空間に物品を収容するための開口部が形成されたものであり、
外面が外部に露出する主壁と、この主壁の両側端縁から前記主壁と交差する方向に延びた一対の側縁壁と、前記主壁における前記開口部の反対側の縁から前記主壁と交差する方向に延びた奥縁壁とを備えてなるものであり、
前記一対の側縁壁の先端縁から内方に向かって延出し前記接着部を設けた一対の延出壁を備えており、これら一対の延出壁の先端部同士が互いに当接しないように構成されている収容体。
【請求項２】
前記奥縁壁の先端縁から内方に向かって延出した奥延出壁を備えている請求項１記載の収容体。
【請求項３】
前記接着部が、前記接着対象物に吸着し得る磁石を設けてなるものである請求項１又は２記載の収容体。
【請求項４】
前記主壁における前記開口部側に、前記収容空間に収容された前記物品を取り出し易くする切欠部が形成されている請求項１、２又は３記載の収容体。
【請求項５】
前記基材が合成樹脂製のものである請求項１、２、３又は４記載の収容体。
【発明の詳細な説明】
【技術分野】
【０００１】
本発明は、種々の物品を収容し得る収容体に関する。
【背景技術】
【０００２】
従来から、スチール製の家具等にマグネットを利用して吸着し得るように構成された収容体が知られている（例えば、特許文献１を参照）。
【０００３】
この種のものは、家具等に添着される比較的面積の大きな矩形板状のベースプレートを有しており、そのベースプレートを基礎としてその前側に書類等の収容部分等を設けているのが通常である。
【０００４】
ところが、このような構成のものであると、ベースプレートの製造に要する材料（例えば、金属や合成樹脂）を減少させ難いため、製造コストを抑制し得る設計の自由度が制限されるものとなっていた。
【０００５】
さらに、従来のものは、ベースプレートに対して書類等の収容部分を設ける製造工程が複雑化し易く、必ずしも簡単に製造し得るものとは言えなかった。
【先行技術文献】
【特許文献】
【０００６】
【特許文献１】実開昭５９−１５３８４３号公報
【発明の概要】
【発明が解決しようとする課題】
【０００７】
本発明は、以上のような事情に着目してなされたもので、少なくとも、製造コストを抑制し得る設計の自由度に優れるとともに製造し易さに寄与し得る構成をなす収容体を提供することにある。
【課題を解決するための手段】
【０００８】
すなわち、本発明は次の構成をなしている。
【０００９】
請求項１に記載の発明は、接着対象物に接着し得る接着部を有し、当該接着部を前記接着対象物に接着させた状態で使用される収容体であって一枚板である基材を所定の位置で折り曲げ成形することによって、内部に物品を収容し得る収容空間と当該収容空間に物品を収容するための開口部が形成されたものであり、外面が外部に露出する主壁と、この主壁の両側端縁から前記主壁と交差する方向に延びた一対の側縁壁と、前記主壁における前記開口部の反対側の縁から前記主壁と交差する方向に延びた奥縁壁とを備えてなるものであり、前記一対の側縁壁の先端縁から内方に向かって延出し前記接着部を設けた一対の延出壁を備えており、これら一対の延出壁の先端部同士が互いに当接しないように構成されている収容体である。
【００１０】
請求項２に記載の発明は、前記奥縁壁の先端縁から内方に向かって延出した奥延出壁を備えている請求項１記載の収容体である。
【００１１】
請求項３に記載の発明は、前記接着部が、前記接着対象物に吸着し得る磁石を設けてなるものである請求項１又は２記載の収容体である。
【００１２】
請求項４に記載の発明は、前記主壁における前記開口部側に、前記収容空間に収容された前記物品を取り出し易くする切欠部が形成されている請求項１、２又は３記載の収容体である。
【００１３】
請求項５に記載の発明は、前記基材が合成樹脂製のものである請求項１、２、３又は４記載の収容体である。
【発明の効果】
【００１４】
以上説明したように本発明によれば、少なくとも、製造コストを抑制し得る設計の自由度に優れるとともに製造し易さに寄与し得る構成をなす収容体を提供することができる。
【図面の簡単な説明】
【００１５】
【図１】本発明の一実施形態を示す斜視図。
【図２】同実施形態における正面図。
【図３】同実施形態における右側面図。
【図４】同実施形態における平面図。
【図５】同実施形態における使用状態の一例を説明するための斜視図。
【図６】同実施形態における使用状態の一例を説明するための斜視図。
【発明を実施するための形態】
【００１６】
以下、本発明の一実施形態を、図１〜６を参照して説明する。
【００１７】
この実施形態は、本発明を、オフィス等に置かれた接着対象物である机Ｂに取り付けて使用され、主として物品である紙葉類Ｐを好適に収容し得るトレー状の収容体Ａに適用したものである。
【００１８】
ここで、「接着対象物」とは机Ｂに限られるものではないのはもちろんのことであり、「物品」とは紙葉類Ｐに限られるものではないのはもちろんのことである。本発明の一実施形態の説明では、接着対象物をその一例である机Ｂとし、物品をその一例である紙葉類Ｐとして説明するものとする。
【００１９】
また、本発明は、図５に示すような机Ｂの下向き面に接着し開口部Ｋを前方に開放した使用形態を採り得るだけでなく、図６に示すような机Ｂの起立壁面に接着し開口部Ｋを上方に開放した使用姿勢も採り得るものとなっている。この明細書では、説明の便宜上、収容体Ａに関する前後・上下・左右は、図１〜５に示す姿勢、より具体的に言えば、机Ｂの下肢空間上に位置する配された引き出しｂ１の下向き面に接着した場合の姿勢に基づいて説明するものとする。
【００２０】
収容体Ａは、机Ｂに接着した状態で使用者の使用に供されるものとなっている。この実施形態では、収容体Ａは、机Ｂの引き出しｂ１における下向き面に、磁石Ｍによる吸着力を利用して接着し得る接着部Ｓを有し、当該接着部Ｓを机Ｂに接着させた状態で使用されるものである。
【００２１】
収容体Ａは、一枚板である基材を所定の位置で折り曲げ成形することによって、内部に紙葉類Ｐを収容し得る収容空間ｓｐと当該収容空間ｓｐに紙葉類Ｐを収容するための開口部Ｋが形成されている。収容体Ａの基材は、合成樹脂製（例えば、ポリ塩化ビニル製）のものである。収容体Ａの収容空間ｓｐは、Ａ４サイズの紙葉類Ｐ（及び、Ａ４サイズよりも小さな大きさの紙葉類等）を折り曲げることなく収容し得る大きさに設定されている。
【００２２】
収容体Ａは、使用状態において、外面が外部すなわち下方に露出する主壁１と、主壁１の両側端縁から主壁１と交差する方向すなわち上方に延びた一対すなわち左右の側縁壁２と、左右の側縁壁２の先端縁たる上端縁から内方に向かって延出し上面側に接着部Ｓを設けた一対すなわち左右の延出壁３と、主壁１における開口部Ｋの反対側の縁たる後端縁から主壁１と交差する方向すなわち上方に延びた奥縁壁４と、奥縁壁４の先端縁から内方たる前方に向かって延出した奥延出壁５とを備えている。
【００２３】
以下、この収容体Ａについて詳述する。
【００２４】
主壁１は、比較的大きな面積を有した水平板状をなしている。主壁１における開口部Ｋ側には、収容空間ｓｐに収容された紙葉類Ｐを取り出し易くする切欠部１１が形成されている。
【００２５】
左右の側縁壁２は、主壁１に対して略直交する方向に起立した姿勢をなしている。左右の側縁壁２は、収容空間ｓｐに収容された紙葉類Ｐが左右方向に移動することを規制し得る部位をなす。左右の側縁壁２は、側面視において前後方向に延びた長方形状をなしている。
【００２６】
左右の延出壁３は、それぞれ水平板状をなしている。左右の延出壁３の外方端縁は左右の側縁壁２に連設されている。左右の延出壁３は、平面視において前後方向に延びた長方形状をなしている。
【００２７】
左右の延出壁３は、先端部である内方端縁３ｔ同士が互いに当接しないように構成されている。すなわち、左右の延出壁３の内方端縁３ｔ同士は離れた構成をなしている。換言すれば、収容体Ａは、左の延出壁３の内方端縁３ｔと右の延出壁３の内方端縁３ｔとの間に離間空間ｒを形成したものとなっている。
【００２８】
左右の延出壁３の上面側には、接着部Ｓが設けられている。この実施形態における接着部Ｓは、机Ｂの金属性部分に吸着し得るシート状の磁石Ｍ（いわゆるマグネットシート）を設けてなるものである。
【００２９】
なお、収容体Ａは、机Ｂに接着された状態で使用されるため、左右の延出壁３間の離間空間ｒは、机Ｂの接着対象面により覆われるものとなっている。換言すれば、収容体Ａにおける離間空間ｒは、接着対象面（机Ｂの引き出しｂ１の下向き面）によって塞がれ得るように構成されている。
【００３０】
奥縁壁４は、主壁１に対して略直交する方向に起立した姿勢をなしている。奥縁壁４は、収容空間ｓｐに収容された紙葉類Ｐが奥方に移動することを規制し得る部位をなしている。奥縁壁４は、正面視又は背面視において左右方向に延びた長方形状をなしている。
【００３１】
奥延出壁５は、水平板状をなしている。奥延出壁５は、平面視において左右方向に延びた長方形状をなしている。奥延出壁５の前端縁は、左右の延出壁３の後端縁に当接しないように構成されている。すなわち、奥延出壁５の前端縁５ｅと左右の延出壁３の後端縁３ｅは離れた構成をなしている。
【００３２】
この実施形態では、主壁１の後端部分、奥縁壁４、及び、奥延出壁５によって、側面視において略コ字状をなす部分（以下、「コ字状部分Ｃ」という。）が形成されている。そして、コ字状部分Ｃの左右両端部は、左右の側縁壁２により閉塞されておらず、左右方向に開放された形態すなわち収容空間ｓｐと外部空間とが連通し得る形態をなしている。
【００３３】
以上説明したように、本実施形態に係る収容体Ａは、接着対象物たる机Ｂに接着し得る接着部Ｓを有し、当該接着部Ｓを机Ｂに接着させた状態で使用されるものである。そして、収容体Ａは、一枚板である基材を所定の位置で折り曲げ成形することによって、内部に物品を収容し得る収容空間ｓｐと当該収容空間ｓｐに物品たる紙葉類Ｐを収容するための開口部Ｋが形成されている。
【００３４】
収容体Ａは、外面が外部に露出する主壁１と、この主壁１の両側端縁から主壁１と交差する方向に延びた左右の側縁壁２と、主壁１における開口部Ｋの反対側の縁から主壁１と交差する方向に延びた奥縁壁４とを備えてなるものである。左右の側縁壁２の先端縁から内方に向かって延出し接着部Ｓを設けた左右の延出壁３を備えており、これら左右の延出壁３の先端部同士が互いに当接しないように構成されている。
【００３５】
このため、製造コストを抑制し得る設計の自由度に優れるとともに製造し易さに寄与し得る構成をなす収容体Ａを提供することができるものとなる。
【００３６】
つまり、接着部Ｓを設けた左右の延出壁３の先端部同士が互いに当接しないように構成されている。このため、紙葉類Ｐを収容し得る機能を損ねることなく製造コストの低減に資するように左右の延出壁３の材料を少なくすることが可能となる。換言すれば、従来のようなベースプレートを設ける必要がないにもかかわらず、必要な紙葉類Ｐの収容機能を無理なく発揮し得る収容体Ａを提供することができるものとなっている。しかも、収容体Ａは、一枚板である基材を所定の位置で折り曲げ成形して作られたものであるため、製造工数を低減し易く製造し易さに寄与し得る好適な構成を備えたものとなっている。
【００３７】
奥縁壁４の先端縁から内方に向かって延出した奥延出壁５を備えている。このため、収容空間ｓｐに収容された紙葉類Ｐが奥縁壁４の近傍から外部に抜け出してしまうことを好適に抑制し得るものとなっている。
【００３８】
接着部Ｓが、接着対象物である机Ｂに吸着し得る磁石を設けてなるものである。このため、収容体Ａを磁力による吸着力を利用して机Ｂに対して簡単に取り付けることができるものとなっている。
【００３９】
主壁１における開口部Ｋ側に、収容空間ｓｐに収容された紙葉類Ｐを取り出し易くする切欠部が形成されている。このため、使用者の手が主壁１の前端縁に干渉し難くなり紙葉類Ｐの取り出しを容易に行うことができるものとなっている。
【００４０】
基材が合成樹脂製のものである。このため、熱可塑性に優れ、収容体Ａを形成するための折り曲げ成形を好適に実施し得るものとなっている。換言すれば、収容体Ａにおける主壁１、後縁壁２、延出壁３、奥縁壁４、及び、奥延出壁５は、合成樹脂により一体に構成されたものとなっているため、全体的な強度に優れた構成が実現されたものとなっている。
【００４１】
なお、本発明は、以上に詳述した実施形態に限られるものではない。
【００４２】
接着対象物は、机に限られたものではなく、接着部が接着し得るものであればどのようなものであってもよいのはもちろんのことである。なお、接着対象物の例としては、建物の壁面や家具（机やワゴンや棚やホワイトボート等）の外面等を挙げることができる。
【００４３】
収容体の姿勢は収容空間に収容される物品が落下しない態様で種々の姿勢を採り得るものである。
【００４４】
例えば、図６に示すように、収容体Ａは、机Ｂの収納部ｂ１の起立壁面に接着し開口部Ｋを上方に開放した使用姿勢を採るようにしてもよい。
【００４５】
物品とは、紙葉類に限られるものではなく、収容空間に収容され得るものであればどのようなものであってもよいのは言うまでもない。なお、紙葉類の例としては、用紙、ノート、雑誌等の冊子等を挙げることができる。また、物品には、紙葉類を収容し得るファイルやフォルダー等を挙げることができる。
【００４６】
接着部は、磁石を利用したものに限られるものではなく、例えば、両面テープ等の接着剤を利用したものであってもよいし、吸盤を利用したものであってもよい。
【００４７】
その他、各部の具体的構成についても上記実施形態に限られるものではなく、本発明の趣旨を逸脱しない範囲で種々変形が可能である。
【符号の説明】
【００４８】
１…主壁
２…側縁壁
３…延出壁
４…奥縁壁
Ａ…収容体
Ｂ…机（接着対象物）
Ｋ…開口部
Ｐ…紙葉類（物品）
Ｓ…接着部
ｓｐ…収容空間
【図１】
2020116890.tif 000003
【図２】
2020116890.tif 000004
【図３】
2020116890.tif 000005
【図４】
2020116890.tif 000006
【図５】
2020116890.tif 000007
【図６】
2020116890.tif 000008